(57)【要約】      （修正有）【課題】軸に備えられた抽出対象物を、軸を掻き混ぜる(回転させる)ことによって成分の抽出を促すことに加え、前記掻き混ぜ作業終了後も、掻き混ぜる手段で生じる回転水流を利用して前記抽出対象物の回転を持続させることで成分の抽出を加速させる。【解決手段】軸１の可動又は前記軸を対象物に固定した場合は対象物の可動によって軸を中心に回転することが出来、且つ、前記可動を停止した後においても回転を持続することが出来る機能を持つ回転部品２を前記軸１に設けて、前記回転部品２に抽出対象物５を取り付けることが出来る取り付け部品３ａを備えさせて、前記回転部品２を回転させることで、前記取り付け部品３ａに取り付けた抽出対象物５の成分の抽出を加速させることを特徴とする持続回転抽出棒を作成する。【選択図】図７
2014176594.tif 000002
【特許請求の範囲】
【請求項１】
軸の可動又は前記軸を固定した対象物の可動によって前記軸を中心に回転することが出来、且つ、前記可動を停止した後においても回転を持続することが出来る機能を持つ回転部品を前記軸に設けて、前記回転部品に抽出対象物を取り付けることが出来る取り付け部品を備えさせて、前記回転部品を回転させることで、前記取り付け部品に取り付けた抽出対象物の成分の抽出を加速させることを特徴とする持続回転抽出棒。
【請求項２】
前記軸が可撓性を持つことを特徴とする請求項１記載の持続回転抽出棒。
【請求項３】
前記軸に掻き混ぜ部分を備えさせることを特徴とする請求項１又は２記載の持続回転抽出棒。
【発明の詳細な説明】
【技術分野】
【０００１】
本願発明は、軸の可動又は前記軸を固定した対象物の可動によって前記軸を中心に回転することが出来、且つ、前記可動を停止した後においても回転を持続することが出来る機能を持つ回転部品を前記軸に設けて、前記回転部品に抽出対象物を取り付けることが出来る取り付け部品を備えさせて、前記回転部品を回転させることで、前記取り付け部品に取り付けた抽出対象物の成分の抽出を加速させることを特徴とする持続回転抽出棒に関するものである。
【背景技術】
【０００２】
従来、軸の可動又は前記軸を対象物に固定した場合は対象物の可動によって軸を中心に回転することが出来、且つ、前記可動を停止した後においても回転を持続することが出来る機能を持つ回転部品を前記軸に設けて、前記回転部品に抽出対象物を取り付けることが出来る取り付け部品を備えさせて、前記回転部品を回転させることで、前記取り付け部品に取り付けた抽出対象物の成分の抽出を加速させることを特徴とする持続回転抽出棒はなかった。
【０００３】
特許公開２００３−０６３５６２号に撹拌棒が記載されているが、この発明は、既成のティーパック類を水中に入れた場合、ティーパックは浮力によって水面に浮遊する為に、ティーパックの抽出に時間がかかるというティーパックの浮遊問題の解決及び、棒を持つ事で、素早く掻き混ぜることを目的に開発されたものである。しかし、これは、軸の先端に備えたティーパックを、軸の上部を振り回して掻き混ぜる機能しか備えていないので、軸の振り回し作業終了時には、ティーパックは静止してしまうので、その時点で抽出作業は完了してしまう。
【０００４】
特表２００８−５１９６３０号に煎出装置が記載されているが、この発明では軸の先端に
籠を設け，この籠の外部の格子部分が開閉することにより、抽出袋を籠内に設置させて、
この抽出袋を圧縮(絞る)ことと、ポンピングによる、水の循環で抽出速度を加速させるも
のであり、抽出袋を、軸を中心に回転させる機能は備えていなので、ポンピング動作終了
時においては、抽出作業は終了してしまう。
【先行技術文献】
【特許文献】
【０００５】
【特許文献１】特許公開２００３−０６３５６２号
【特許文献２】特表２００８−５１９６３０号
【発明の概要】
【発明が解決しようとする課題】
【０００６】
０００３項記載の先行技術は、軸の振り回し作業（可動）終了時にはティーパックが
静止するので成分を抽出する作業が終了してしまう。又、０００４項記載の先行技術は、
ポンピング作業終了時にはティーパックが静止するので成分を抽出する作業が終了してしまう。
【０００７】
本願発明は、軸に備えられた抽出対象物を、前記軸を掻き混ぜることによって成分の抽出
を促すことに加え、掻き混ぜ作業終了後も、掻き混ぜる手段で生じる回転水流を利用して
前記抽出対象物の回転を持続させることで成分の抽出を加速させることを課題とするものである。
【課題を解決するための手段】
【０００８】
本発明は、上記課題を解決する為に、以下の手段を備えたものである。  
【０００９】
軸の可動又は前記軸を固定した対象物の可動によって前記軸を中心に回転することが出来、且つ、前記可動を停止した後においても回転を持続することが出来る機能を持つ回転部品を前記軸に設けて、前記回転部品に抽出対象物を取り付けることが出来る取り付け部品を備えさせて、前記回転部品を回転させることで、前記取り付け部品に取り付けた抽出対象物の成分の抽出を加速させることを特徴とする持続回転抽出棒を作成する。
【００１０】
又、前記軸が可撓性を持つことを特徴とする持続回転抽出棒を作成する。
【００１１】
さらに、前記軸に掻き混ぜ部分を備えさせることを特徴とする持続回転抽出棒を作成することで本願発明の効果が発揮できる。
【発明の効果】
【００１２】
軸の可動又は前記軸を固定した対象物の可動によって前記軸を中心に回転することが出来、且つ、前記可動を停止した後においても回転を持続することが出来る機能を持つ回転部品を前記軸に設けて、前記回転部品に抽出対象物を取り付けることが出来る取り付け部品を備えさせて、前記回転部品を回転させることで、前記取り付け部品に取り付けた抽出対象物の成分の抽出を加速させることを特徴とする持続回転抽出棒を作成する。この効果を以下に述べる。  
【００１３】
まず、本願発明持続回転抽出棒の軸が備える回転部品の取り付け部分に、抽出対象物を取りつけて浸漬させて、軸を持って 掻き混ぜる(軸を可動させる)と、前記取り付け部分に取り付けられた抽出対象物は円を描いて振り回される(回転する)。
【００１４】
前記回転部品に取り付けられた前記抽出物が円を描いて振り回される(軸の可動で回転する)ことにより、容器内には回転水流が発生する。この掻き混ぜ作業により発生する回転水流は掻き混ぜ作業終了後も慣性の法則により容器での回転を持続する。
【００１５】
掻き混ぜ作業終了後も、前記軸を中心に回転を持続する前記回転部品の前記取り付け部分に備え付けられた抽出対象物は、前記軸を中心に自転回転をする機能を持つ前記回転部品の効果により回転水流に乗って前記軸を中心に回転する。
【００１６】
この様に、軸による動作(軸の可動)を終了しても軸を中心に自転回転し続けることが出来る前記回転部品の機能による前記抽出対象物の回転の持続により、掻き混ぜ動作を終了した後も、前記抽出対象物は容器内を回転し続けるので、前記抽出対象物の成分の抽出は加速される。
【００１７】
又、前記軸が可撓性を持つことを特徴とする持続回転抽出棒を作成する。この効果を以下に述べる。
【００１８】
００１３で前述した、前記軸を可動させた場合、軸は可撓性を持つことで、鞭のようなしなった運動（以後は鞭振り運動と記載する）を行う。この鞭振り運動により前記軸の振幅が大きくなり、前記回転水流は大きくなる。  
【００１９】
さらに、前記軸に掻き混ぜ部分を備えさせることを特徴とする掻き混ぜ回転抽出棒を作成
することで本願発明の効果が発揮できる。この効果を以下に述べる。  
【００２０】
前記軸に掻き混ぜ部分を備えさせた場合、００１３で前述した、水中における掻き混ぜ作
業の際に軸の抵抗が増す。この抵抗によって掻き混ぜ作業時には回転水流は更に増幅され
る。
【００２１】
前記軸が前記掻き混ぜ部分を備えた抵抗効果で、掻き混ぜ作業により発生する回転水流は
強く増幅され、永く持続するので、前記抽出対象物はより強く、より永く回転し続けるの
で、抽出対象物の成分の抽出はさらに加速される。
【００２２】
この様に、本願発明持続回転抽出棒の効果により、前記軸の可動を停止した後においても回転を持続することが出来る機能を持つ回転部品を前記軸に設けることで、前記軸の可動を停止した後も抽出対象物の成分の抽出を加速させることが出来る。
【００２３】
又、前記回転部品は前記軸を対象物に固定した場合は対象物の可動によって前記軸を中心に回転することが出来る機能を併せ持つ。これにおいては実施例で後述する。
【図面の簡単な説明】
【００２４】
【図１】掻き混ぜ部分４を備えた軸１が持つ回転部品２の取り付け部分３ａに、ティーパック５を取り付けた本願発明掻き混ぜ回転抽出棒の正面図。
【図２】図１で示す本願発明掻き混ぜ回転抽出棒を、容器１１に浸漬させて使用した場合の動作を表す正面図。
【図３】軸１が備えた回転部品２の取り付け部分３ｂに、カートリッジ８を取り付けた本願発明掻き混ぜ回転抽出棒の正面図。
【図４】図３で示す本願発明掻き混ぜ回転抽出棒を、容器１１に浸漬させて使用した場合の正面図。
【図５】軸１の先端を容器蓋１２の底面に固定した本願発明抽出棒の正面図
【図６】容器１１に図５で示す本願発明抽出棒を固定して、容器１１を稼動させた場合の動作を示す正面図。
【図７】シンプルな形態の本願発明抽出棒の正面図。
【図８】二股の取り付け部分３ａ、３ａ´を備えた形態の本願発明抽出棒の正面図。
【図９】球体６の形態の回転部品２を軸に備えた形態の本願発明抽出棒の正面図。
【図１０】球体６の形態の回転部品２が軸に貫通された形態の本願発明抽出棒の正面図。
【発明を実施するための形態】
【実施例１】
【００２５】
本願発明持続回転抽出棒が軸１を中心に回転する回転部品２によりが  軸１又は軸１が取り付けられた対象物(実施例では容器１１)の可動を停止した後においても前記回転部品２に取り付けられた抽出対象物が回転を持続する為の形態については、後述する図を用いて説明するが、まず実施例において本願発明の使用について説明する。尚、以後においては本願発明持続回転抽出棒を本願発明抽出棒と表記して説明する。
【００２６】
実施例１における前記回転部品２とは、下方末端がフック状の取り付け部品３ａの上方先
端にこぶ状の突起物（ア）を備えさせ、軸１の下部末端には前記突起物（ア）をはめ込む
ことが出来る外側にベロを持つ空間（イ）を備えさせている。
【００２７】
これにより、前記軸１の下部末端部分の空間（イ）と前記取り付け部品３ａの上方先端部分のこぶ状の突起物（ア）の結合部分が軸１を支点にして、軸１を中心とした回転機能を備える回転部品２となる。尚、前記突起物はこぶ状でなくても、回転機能を備えさせるならどのような形態でも構わない。
【００２８】
又、前記軸１には、図１で示す掻き混ぜ部分４が備えられている。前記取り付け部品３ａ
の下方先端のフックには抽出対象物としてティーパック５を挟み込む手段で取り付けられている。この状態で容器１１に浸漬させたものを図２で示す。
【００２９】
図２では、図１で示した本願発明掻き混ぜ回転抽出棒の動作について説明する。前記軸1
の上部を矢印Ａの方向に掻き混ぜ作業(軸１の可動)を行うと、前記軸1の末端に備え付けられた前記回転部品２の前記取り付け部分３ａに取り付けられたティーパック５は水中において矢印Ｂの方向に振り回される。
【００３０】
これにより、容器１１内には矢印Ｃの方向に回転水流Ｃが発生する。掻き混ぜ作業(軸１の可動)終了時においても、慣性の法則により、この回転水流Ｃは、容器１１内で回転を持続する。
【００３１】
前記取り付け部分３ａに取り付けられたティーパック５は、前記回転部品２により、この持続する回転水流Ｃを利用して掻き混ぜ作業(軸の可動)終了時においても、容器１１内で自転回転Ｄを持続することが出来る。これにより、ティーパック５の成分の抽出が加速される。
【００３２】
この場合に、前記軸に可撓性を持たすことにより、００１８項で前述した鞭振り効果を備えさせれば、回転水流Ｃはさらに大きく発生する。
【００３３】
可撓性を備えさせる手段としては、軸１自体をゴム等の可撓性を持つ材質や、軸１自体をスプリング等の可撓性を持つ形状にすることはもちろん、軸１と軸１を接合するジョイントや、軸１を容器内に接合する接合ジョイントを作成して、このジョイントを、可撓性を持つ材質や可撓性を持つ形状にすることにより、軸が可撓性を備えることを含む(
【実施例２】
【００３４】
実施例２で用いる本願発明抽出棒とは、図３で示すように、後述する００３５項、００３６項の仕様で、軸１の下方末端には軸１を中心に回転することが出来る機能を持つ回転部品２を備えさせている。
【００３５】
まず、前記軸１の末端を球体６にして、球体６には中空（ウ）を備えさせ、球体６の末端
に穴（エ）を開け、穴（エ）の上部から取り付け部品３ｂを差し込んで抜け止め７を用い
て固定する。
【００３６】
前記穴（エ）の口径は前記取り付け部品３ｂの直径より大きいので前記取り付け部分３ｂ
は軸の末端が備える球体６を中心に回転することが出来る回転部品２の機能を備える。  
【００３７】
取り付け部品３ｂの下部末端はネジになっており、このネジに適合するねじ穴（オ）を持つ抽出対象物のカートリッジ８を差し込んで固定する。
【００３８】
この際、ネジの代わりに取り付け部分３ｂの下部末端に突起物を設けて、この突起物に圧
入する穴（オ）を備えた圧入固定による手段でも良いことは言うまでもない。
【００３９】
球体６の上部から、カートリッジ８を中心として輪の形状の掻き混ぜ部分４を作成する。
実施例２ではカートリッジ８の底部に芯９を作り、この芯を掻き混ぜ部分４に下部末端に
開けた芯の直径より大きな穴（カ）に通して安定させているが、カートリッジ８は芯９が
なくてもかまわない。
【００４０】
前記カートリッジ８は回転水流の影響を受けやすいように、羽根状の浮遊手段１０を備えている。
【００４１】
図４では、図３で示した本願発明抽出棒の動作について説明する。前記軸1の上部を矢印Ａの方向に掻き混ぜ作業を行うと、前記軸1の末端に備え付けられた前記取り付け部分３ｂに取り付けられたカートリッジ６は水中において矢印Ｂの方向に振り回される。
【００４２】
これにより、容器１１内には矢印Ｃの方向に回転水流Ｃが発生する。掻き混ぜ作業終了時
においても、慣性の法則により、この回転水流Ｃは、容器１１内で回転を持続する。
【００４３】
前記取り付け部分３ｂに固定されたカートリッジ６は、００３６項で述べたように、前記
取り付け部品３ｂが前記回転部品２の機能を兼ね備えている事により、この回転水流Ｃを
利用して掻き混ぜ作業(軸１の可動)終了時においても、容器１１内で自転回転Ｄを持続する事が出来る。これにより、カートリッジ８の成分の抽出が加速される。
【００４４】
実施例では簡素な手段で回転部品２を備えさせたが、本願発明抽出棒の回転部品２にベアリング等を用いることで回転の機能を高めることが可能である。
【００４５】
掻き混ぜ部分４は、実施例１のような２枚羽根ではなく、複数羽根にする手段や、スクリ
ュー状の形態や、起伏を付けたり、溝を入れることで、軸１の水中での抵抗を高めて、掻
き混ぜ作業における回転水流Ｃの発生を増幅させることが可能である。
【００４６】
又、００２３項で述べた、回転部品２は軸１を対象物に固定した場合は対象物の可動によって前記軸を中心に回転することが出来る機能を併せ持つという事について説明する。
【００４７】
図５においては、本願発明抽出棒の軸１の先端を容器蓋１２の底面に固定している。この場合の対象物とは容器蓋１２である。
【００４８】
この状態で、容器蓋１２(軸１を固定した対象物)を可動させることにより、軸が可動され、軸１を中心に回転部品２は回転することが出来、且つ、前記可動を停止した後においても前記回転部品２は回転を持続することが出来る。
【００４９】
又、図６では動作を示すが、前記動作とは水を入れた容器１１を手で矢印Ｅ方向に可動させた場合、容器１１内には回転水流Ｃが発生する。前記回転水流Ｃは容器１１の可動の停止後も容器１１内で持続するので、これにより回転部品２はその回転を持続する事が出来る。
【００５０】
この場合は、軸１を固定した対象物とは直接には容器蓋１２であるが、その容器蓋１２が固定された容器１１は間接的には軸１が固定された対象物となる。
【００５１】
この様に、本願発明抽出棒は、前記軸１を対象物に固定した場合の対象物とは、このように前記軸１が間接的に固定されたもの(この場合は容器１１)も対象物として定義される。
【００５２】
又、従来は、水筒等にお茶を入れる場合は、お茶を抽出したヤカンから注ぎ込む技法であったが、最近では、お茶等の抽出手段として使用済みのペットボトルに水を満たし、ティーパックを併せて入れる技法が、各家庭で用いられるようになった。
【００５３】
そこで、本願発明抽出棒をペットボトル容器１１´に特化したペットボトル容器蓋１２´の底面に備えさせることで、ペットボトル容器１１´専用の本願発明抽出棒となる。ペットボトル容器１１´は一般的に口径が同じなので、本願発明を備えたペットボトル容器１２´はほとんどすべてのペットボトル容器１１´に適合する。
【００５４】
この様にして、本願発明抽出棒は、様々な容器蓋１２の底面に備えることで、様々な容器１１において、その機能を発揮できる。又、ペットボトル容器１１´に特化したペットボトル容器蓋１２´に備えさせることでペットボトル１１´に特化してその機能を発揮することが出来る。
【００５５】
尚、実施例においては、粉状の抽出対象物を内蔵させたティーパック５やカートリッジ８
について述べたが、抽出対象物には、固形のものも含まれる。
【００５６】
つまり、実施例１の抽出対象物はティーパック５ではなくカートリッジ８でも固形のものでもよく、又、実施例２でも取り付け部分３の形状を変えることで、抽出対象物はカートリッジ８ではなくティーパック５でも固形のものでもよい。
【００５７】
以下においては、軸１に固定する回転部品２の形状について記載する。
【００５８】
図７は、実施例１と同じ形態の本願発明抽出棒であるが、これには、図１で示す掻き混ぜ部分４が備えられていないが、このように掻き混ぜ部分４を備えない軸１に取り付け部分３ａを備えたシンプルな本願発明抽出棒でも効果は発揮される。
【００５９】
図８は、００５８と同じ形態の本願発明抽出棒であるが、取り付け部分が二股に分かれている。この様に単数ではなく複数の取り付け部分３ａ、３ａ´のように、取り付け部分３を複数持つ本願発明抽出棒でも効果は発揮される。
【００６０】
図９においては、球体６の上部にベロを持つ空間（イ）を備え、軸１の末端に抜け止め７を嵌めこんで固定することにより、球体６が回転部品２となり軸１を中心に回転出来る機能を備える。
【００６１】
前記回転部品２の側面と下面にフック状の取り付け部分３ａ、３a´、３ａ´´を備えている。
【００６２】
この取り付け部分は単数でもよく、複数でもよく、側面、下面に限らずどの方向にあっても構わない。
【００６３】
図１０においては、回転部品２に縦穴（キ）をあけ、縦穴（キ）に貫通した、縦穴（キ）の口径より細い直径を持つ軸１の末端付近に、前記回転部品２を一対の抜け止め７ａ、７ｂで上下に抜け止め固定する。この回転部品２の側面に先端がフック状の取り付け部分３ａ及び３ａ´を突出させて設ける。
【００６４】
前記取り付け部分３は単数でも複数でもよい。又、側面と表記しているが左右対称でなくて、上部側面、下部側面でも構わないが、左右対称にした方(天秤のようにする)がバランスを取りやすい。このバランスについては００６２項で述べた形態にも当てはまる。
【００６５】
尚、取り付け部分３は抽出対象物を取り付けることが出来るなら、どのような形態でも構わない。又、取り付け部分３は回転部品２からの脱着を自在にして、用途によって取り外し交換が出来るようにすることで、本願発明抽出棒の効果が高められる場合がある。
【００６６】
００６５項で述べたように回転部品２からの取り付け部分３の脱着を自在にしすることで、用途によって取り付け部品３とは別に回転部品２に錘や浮遊手段１０を脱着させる機能を持たすことで、本願発明抽出棒の効果が高められる場合がある。
【符号の説明】
【００６７】
１    軸  
２    回転部品
３    取り付け部分
４    掻き混ぜ部分
５    ティーパック
６    球体
７    抜け止め
８    カートリッジ
９    芯
１０  浮遊手段
１１  容器(ペットボトル)
１２  容器蓋（ペットボトルキャップ）
Ａ    掻き混ぜる方向を示す矢印
Ｂ    掻き混ぜ作業による抽出対象物の回転の方向を示す矢印
Ｃ    回転水流の方向を示す矢印
Ｄ    自転回転を示す矢印
Ｅ    容器１１を振り回す方向を示す矢印
ア    こぶ状の突起物
イ    ベロを持つ空間
ウ    球体６が備える中空
エ    球体６の末端の穴
オ    ネジに適合する穴
カ    掻き混ぜ部分の下部末端の穴
キ    回転部品の縦穴
【図１】
2014176594.tif 000003
【図２】
2014176594.tif 000004
【図３】
2014176594.tif 000005
【図４】
2014176594.tif 000006
【図５】
2014176594.tif 000007
【図６】
2014176594.tif 000008
【図７】
2014176594.tif 000009
【図８】
2014176594.tif 000010
【図９】
2014176594.tif 000011
【図１０】
2014176594.tif 000012
【手続補正書】
【提出日】平成25年6月4日(2013.6.4)
【手続補正１】
【補正対象書類名】特許請求の範囲
【補正対象項目名】請求項１
【補正方法】変更
【補正の内容】
【請求項１】
軸（棒）の可動又は軸（棒）を固定した対象物の可動によって軸（棒）を中心に回転することが出来、且つ、前記可動を停止した後においても回転を持続することが出来る機能を持つ回転部品を前記軸に設けて、前記回転部品に抽出対象物を取り付けることが出来る取り付け部品を備えさせて、前記回転部品を回転させることで、前記取り付け部品に取り付けた抽出対象物の成分の抽出を加速させることを特徴とする持続回転抽出棒。
【手続補正２】
【補正対象書類名】明細書
【補正対象項目名】全文
【補正方法】変更
【補正の内容】
【発明の詳細な説明】
【技術分野】
【０００１】
本願発明は、軸（棒）の可動又は軸（棒）を固定した対象物の可動によって軸（棒）を中心に回転することが出来、且つ、前記可動を停止した後においても回転を持続することが出来る機能を持つ回転部品を前記軸に設けて、前記回転部品に抽出対象物を取り付けることが出来る取り付け部品を備えさせて、前記回転部品を回転させることで、前記取り付け部品に取り付けた抽出対象物の成分の抽出を加速させることを特徴とする持続回転抽出棒に関するものである。
【背景技術】
【０００２】
従来、軸（棒）の可動又は軸（棒）を対象物に固定した場合は対象物の可動によって軸（棒）を中心に回転することが出来、且つ、前記可動を停止した後においても回転を持続することが出来る機能を持つ回転部品を前記軸に設けて、前記回転部品に抽出対象物を取り付けることが出来る取り付け部品を備えさせて、前記回転部品を回転させることで、前記取り付け部品に取り付けた抽出対象物の成分の抽出を加速させることを特徴とする持続回転抽出棒はなかった。
【０００３】
特許公開２００３−０６３５６２号に撹拌棒が記載されているが、この発明は、既成のティーパック類を水中に入れた場合、ティーパックは浮力によって水面に浮遊する為に、ティーパックの抽出に時間がかかるというティーパックの浮遊問題の解決及び、棒を持つ事で、素早く掻き混ぜることを目的に開発されたものである。しかし、これは、軸の先端に備えたティーパックを、軸の上部を振り回して掻き混ぜる機能しか備えていないので、軸の振り回し作業終了時には、ティーパックは静止してしまうので、その時点で抽出作業は完了してしまう。
【０００４】
特表２００８−５１９６３０号に煎出装置が記載されているが、この発明では軸の先端に
籠を設け，この籠の外部の格子部分が開閉することにより、抽出袋を籠内に設置させて、
この抽出袋を圧縮(絞る)ことと、ポンピングによる、水の循環で抽出速度を加速させるも
のであり、抽出袋を、軸を中心に回転させる機能は備えていなので、ポンピング動作終了
時においては、抽出作業は終了してしまう。
【先行技術文献】
【特許文献】
【０００５】
【特許文献１】特許公開２００３−０６３５６２号
【特許文献２】特表２００８−５１９６３０号
【発明の概要】
【発明が解決しようとする課題】
【０００６】
０００３項記載の先行技術は、軸の振り回し作業（可動）終了時にはティーパックが
静止するので成分を抽出する作業が終了してしまう。又、０００４項記載の先行技術は、
ポンピング作業終了時にはティーパックが静止するので成分を抽出する作業が終了してしまう。
【０００７】
本願発明は、軸に備えられた抽出対象物を、前記軸を掻き混ぜることによって成分の抽出
を促すことに加え、掻き混ぜ作業終了後も、掻き混ぜる手段で生じる回転水流を利用して
前記抽出対象物の回転を持続させることで成分の抽出を加速させることを課題とするものである。
【課題を解決するための手段】
【０００８】
本発明は、上記課題を解決する為に、以下の手段を備えたものである。  
【０００９】
軸（棒）の可動又は軸（棒）を固定した対象物の可動によって軸（棒）を中心に回転することが出来、且つ、前記可動を停止した後においても回転を持続することが出来る機能を持つ回転部品を前記軸に設けて、前記回転部品に抽出対象物を取り付けることが出来る取り付け部品を備えさせて、前記回転部品を回転させることで、前記取り付け部品に取り付けた抽出対象物の成分の抽出を加速させることを特徴とする持続回転抽出棒を作成する。
【００１０】
又、前記軸が可撓性を持つことを特徴とする持続回転抽出棒を作成する。
【００１１】
さらに、前記軸に掻き混ぜ部分を備えさせることを特徴とする持続回転抽出棒を作成する
ことで本願発明の効果が発揮できる。
【発明の効果】
【００１２】
軸（棒）の可動又は軸（棒）を固定した対象物の可動によって軸（棒）中心に回転することが出来、且つ、前記可動を停止した後においても回転を持続することが出来る機能を持つ回転部品を前記軸に設けて、前記回転部品に抽出対象物を取り付けることが出来る取り付け部品を備えさせて、前記回転部品を回転させることで、前記取り付け部品に取り付けた抽出対象物の成分の抽出を加速させることを特徴とする持続回転抽出棒を作成する。この効果を以下に述べる。  
【００１３】
まず、本願発明持続回転抽出棒の軸が備える回転部品の取り付け部分に、抽出対象物を取
りつけて浸漬させて、軸を持って 掻き混ぜる(軸を可動させる)と、前記取り付け部分に
取り付けられた抽出対象物は円を描いて振り回される(回転する)。
【００１４】
前記回転部品に取り付けられた前記抽出物が円を描いて振り回される(軸の可動で回転する)ことにより、容器内には回転水流が発生する。この掻き混ぜ作業により発生する回転
水流は掻き混ぜ作業終了後も慣性の法則により容器での回転を持続する。
【００１５】
掻き混ぜ作業終了後も、前記軸を中心に回転を持続する前記回転部品の前記取り付け部分
に備え付けられた抽出対象物は、前記軸を中心に自転回転をする機能を持つ前記回転部品
の効果により回転水流に乗って前記軸を中心に回転する。
【００１６】
この様に、軸による動作(軸の可動)を終了しても軸を中心に自転回転し続けることが出来
る前記回転部品の機能による前記抽出対象物の回転の持続により、掻き混ぜ動作を終了し
た後も、前記抽出対象物は容器内を回転し続けるので、前記抽出対象物の成分の抽出は加
速される。
【００１７】
又、前記軸が可撓性を持つことを特徴とする持続回転抽出棒を作成する。この効果を以下
に述べる。
【００１８】
００１３で前述した、前記軸を可動させた場合、軸は可撓性を持つことで、鞭のようなし
なった運動（以後は鞭振り運動と記載する）を行う。この鞭振り運動により前記軸の振幅
が大きくなり、前記回転水流は大きくなる。  
【００１９】
さらに、前記軸に掻き混ぜ部分を備えさせることを特徴とする掻き混ぜ回転抽出棒を作成
することで本願発明の効果が発揮できる。この効果を以下に述べる。  
【００２０】
前記軸に掻き混ぜ部分を備えさせた場合、００１３で前述した、水中における掻き混ぜ作
業の際に軸の抵抗が増す。この抵抗によって掻き混ぜ作業時には回転水流は更に増幅され
る。
【００２１】
前記軸が前記掻き混ぜ部分を備えた抵抗効果で、掻き混ぜ作業により発生する回転水流は
強く増幅され、永く持続するので、前記抽出対象物はより強く、より永く回転し続けるの
で、抽出対象物の成分の抽出はさらに加速される。
【００２２】
この様に、本願発明持続回転抽出棒の効果により、前記軸の可動を停止した後においても
回転を持続することが出来る機能を持つ回転部品を前記軸に設けることで、前記軸の可動を停止した後も抽出対象物の成分の抽出を加速させることが出来る。
【００２３】
又、前記回転部品は前記軸を対象物に固定した場合は対象物の可動によって前記軸を中心
に回転することが出来る機能を併せ持つ。これにおいては実施例で後述する。
【図面の簡単な説明】
【００２４】
【図１】掻き混ぜ部分４を備えた軸１が持つ回転部品２の取り付け部分３ａに、ティー      パックを取り付けた本願発明掻き混ぜ回転抽出棒の正面図。
【図２】図１で示す本願発明掻き混ぜ回転抽出棒を、容器１１に浸漬させて使用した    場合の動作を表す正面図。
【図３】軸１が備えた回転部品２の取り付け部分３ｂに、カートリッジ８を取り付け    た本願発明掻き混ぜ回転抽出棒の正面図。
【図４】図３で示す本願発明掻き混ぜ回転抽出棒を、容器１１に浸漬させて使用した    場合の正面図。
【図５】軸１の先端を容器蓋１２の底面に固定した本願発明抽出棒の正面図
【図６】容器１１に図５で示す本願発明抽出棒を固定して、容器１１を可動させた場    合の動作を示す正面図。
【図７】シンプルな形態の本願発明抽出棒の正面図。
【図８】二股の取り付け部分３ａ、３ａ´を備えた形態の本願発明抽出棒の正面図。
【図９】球体６の形態が、回転部品２を軸に備えた形態の本願発明抽出棒の正面図。
【図１０】球体６の形態が、回転部品２が軸に貫通された形態の本願発明抽出棒の正面      図。
【発明を実施するための形態】
【実施例１】
【００２５】
本願発明持続回転抽出棒が軸１を中心に回転する回転部品２により軸１又は軸１が取り付けられた対象物(実施例では容器１１)の可動を停止した後においても前記回転部品２に取り付けられた抽出対象物が回転を持続する為の部分的な形態については、後述する図を用いて説明するが、まず実施例において本願発明の使用について説明する。尚、以後においては本願発明持続回転抽出棒を本願発明抽出棒と表記して説明する。
【００２６】
実施例１における前記回転部品２とは、下方末端がフック状の取り付け部分３ａの上方先
端にこぶ状の突起物（ア）を備えさせ、軸１の下部末端には前記突起物（ア）をはめ込む
ことが出来る外側にベロを持つ空間（イ）を備えさせている。もちろん空間(イ)を軸１に、突起物(ア)を取り付け部分３ａの先端にした、逆の形態でも効果は同じなのは言うまでもない。
【００２７】
これにより、前記軸１の下部末端部分の空間（イ）と前記取り付け部品３ａの上方先端部
分のこぶ状の突起物（ア）の結合部分が軸１を支点にして、軸１を中心とした回転機能を
備える回転部品２となる。尚、前記突起物はこぶ状でなくても、回転機能を備えさせるな
らどのような形態でも構わない。
【００２８】
又、前記軸１には、図１で示す掻き混ぜ部分４が備えられている。前記取り付け部品３ａ
の下方先端のフックには抽出対象物としてティーパック５を挟み込む手段で取り付けられている。この状態で容器１１に浸漬させたものを図２で示す。
【００２９】
図２では、図１で示した本願発明掻き混ぜ回転抽出棒の動作について説明する。前記軸1
の上部を矢印Ａの方向に掻き混ぜ作業(軸１の可動)を行うと、前記軸1の末端に備え付けられた前記回転部品２の前記取り付け部分３ａに取り付けられたティーパック５は水中において矢印Ｂの方向に振り回される。
【００３０】
これにより、容器１１内には矢印Ｃの方向に回転水流Ｃが発生する。掻き混ぜ作業(軸１
の可動)終了時においても、慣性の法則により、この回転水流Ｃは、容器１１内で回転を
持続する。
【００３１】
前記取り付け部分３ａに取り付けられたティーパック５は、前記回転部品２により、この
持続する回転水流Ｃを利用して掻き混ぜ作業(軸の可動)終了時においても、容器１１内で
自転回転Ｄを持続することが出来る。これにより、ティーパック５の成分の抽出が加速さ
れる。
【００３２】
この場合に、前記軸に可撓性を持たすことにより、００１８項で前述した鞭振り効果を備
えさせれば、回転水流Ｃはさらに大きく発生する。
【００３３】
可撓性を備えさせる手段としては、軸１自体をゴム等の可撓性を持つ材質や、軸１自体を
スプリング等の可撓性を持つ形状にすることはもちろん、軸１と軸１を接合するジョイン
トや、軸１を容器内に接合する接合ジョイントを作成して、このジョイントを、可撓性を
持つ材質や可撓性を持つ形状にすることにより、軸が可撓性を備えることを含む。
【実施例２】
【００３４】
実施例２で用いる本願発明抽出棒とは、図３で示すように、後述する００３５項、００３
６項の仕様で、軸１の下方末端には軸１（軸１の底面）を中心に回転することが出来る機能を持つ回転部品２を備えさせている。
【００３５】
まず、前記軸１の末端を球体６にして、球体６には中空（ウ）を備えさせ、球体６の末端
に穴（エ）を開け、穴（エ）の上部から取り付け部品３ｂを差し込んで抜け止め７を用い
て固定する。
【００３６】
前記穴（エ）の口径は前記取り付け部品３ｂの直径より大きいので前記取り付け部分３ｂ
は軸の末端が備える球体６を中心に回転することが出来る回転部品２の機能を備える。  
【００３７】
取り付け部品３ｂの下部末端はネジになっており、このネジに適合するねじ穴（オ）を持つ抽出対象物のカートリッジ８を差し込んで固定する。
【００３８】
この際、ネジの代わりに取り付け部分３ｂの下部末端に突起物を設けて、この突起物に圧
入する穴（オ）を備えた圧入固定による手段でも良いことは言うまでもない。
【００３９】
球体６の上部から、カートリッジ８を中心として輪の形状の掻き混ぜ部分４を作成する。
実施例２ではカートリッジ８の底部に芯９を作り、この芯を掻き混ぜ部分４に下部末端に
開けた芯の直径より大きな穴（カ）に通して安定させているが、カートリッジ８は芯９が
なくてもかまわない。
【００４０】
前記カートリッジ８は回転水流の影響を受けやすいように、羽根状の浮遊手段１０を備え
ている。
【００４１】
図４では、図３で示した本願発明抽出棒の動作について説明する。前記軸1の上部を矢印
Ａの方向に掻き混ぜ作業を行うと、前記軸1の末端に備え付けられた前記取り付け部分３
ｂに取り付けられたカートリッジ６は水中において矢印Ｂの方向に振り回される。
【００４２】
これにより、容器１１内には矢印Ｃの方向に回転水流Ｃが発生する。掻き混ぜ作業終了時
においても、慣性の法則により、この回転水流Ｃは、容器１１内で回転を持続する。
【００４３】
前記取り付け部分３ｂに固定されたカートリッジ６は、００３６項で述べたように、前記
取り付け部品３ｂが前記回転部品２の機能を兼ね備えている事により、この回転水流Ｃを
利用して掻き混ぜ作業(軸１の可動)終了時においても、容器１１内で自転回転Ｄを持続する事が出来る。これにより、カートリッジ８の成分の抽出が加速される。
【００４４】
実施例では簡素な手段で回転部品２を備えさせたが、本願発明抽出棒の回転部品２にベア
リング等を用いることで回転の機能を高めることが可能である。
【００４５】
掻き混ぜ部分４は、実施例１のような２枚羽根ではなく、複数羽根にする手段や、スクリ
ュー状の形態や、起伏を付けたり、溝を入れることで、軸１の水中での抵抗を高めて、掻
き混ぜ作業における回転水流Ｃの発生を増幅させることが可能である。
【００４６】
又、００２３項で述べた、回転部品２は軸１を対象物に固定した場合は対象物の可動によって前記軸を中心に回転することが出来る機能を併せ持つという事について説明する。
【００４７】
図５においては、本願発明抽出棒の軸１の先端を容器蓋１２の底面に固定している。この
場合の対象物とは容器蓋１２である。
【００４８】
この状態で、容器蓋１２(軸１を固定した対象物)を可動させることにより、軸が可動され、軸１を中心に回転部品２は回転することが出来、且つ、前記可動を停止した後においても前記回転部品２は回転を持続することが出来る。
【００４９】
又、図６では図５の本願発明抽出棒の使用動作を示すが、前記動作とは水を入れた容器１１を手で矢印Ｅ方向に可動させた場合、容器１１内には回転水流Ｃが発生する。前記回転水流Ｃは容器１１の可動の停止後も容器１１内で持続するので、これにより回転部品２はその回転を持続する事が出来る。
【００５０】
この場合は、軸１を固定した対象物とは直接には容器蓋１２であるが、その容器蓋１２が
固定された容器１１は間接的には軸１が固定された対象物となる。
【００５１】
この様に、本願発明抽出棒は、前記軸１を対象物に固定した場合の対象物とは、このよう
に前記軸１が間接的に固定されたもの(この場合は容器１１)も対象物として定義される。
【００５２】
又、従来は、水筒等にお茶を入れる場合は、お茶を抽出したヤカンから注ぎ込む技法であったが、最近では、お茶等の抽出手段として使用済みのペットボトルに水を満たし、ティーパックを併せて入れる技法が、各家庭で用いられるようになった。
【００５３】
そこで、本願発明抽出棒をペットボトル容器１１´に特化したペットボトル容器蓋１２´
の底面に備えさせることで、ペットボトル容器１１´専用の本願発明抽出棒となる。ペッ
トボトル容器１１´は一般的に口径が同じなので、本願発明を備えたペットボトル容器１
２´はほとんどすべてのペットボトル容器１１´に適合する。
【００５４】
この様にして、本願発明抽出棒は、様々な容器蓋１２の底面に備えることで、様々な容器
１１において、その機能を発揮できる。又、ペットボトル容器１１´に特化したペットボ
トル容器蓋１２´に備えさせることでペットボトル１１´に特化してその機能を発揮することが出来る。
【００５５】
尚、実施例においては、粉状の抽出対象物を内蔵させたティーパック５やカートリッジ８
について述べたが、抽出対象物には、固形のものも含まれる。
【００５６】
つまり、実施例１の抽出対象物はティーパック５ではなくカートリッジ８でも固形のもの
でもよく、又、実施例２でも取り付け部分３の形状を変えることで、抽出対象物はカート
リッジ８ではなくティーパック５でも固形のものでもよい。
【００５７】
以下においては、軸１に固定する回転部品２の形状について記載する。
【００５８】
図７は、実施例１と同じ形態の本願発明抽出棒であるが、これには、図１で示す掻き混ぜ
部分４が備えられていないが、このように掻き混ぜ部分４を備えない軸１に取り付け部分
３ａを備えたシンプルな本願発明抽出棒でも効果は発揮される。
【００５９】
図８は、００５８と同じ形態の本願発明抽出棒であるが、取り付け部分が二股に分かれて
いる。この様に単数ではなく複数の取り付け部分３ａ、３ａ´のように、取り付け部分３
を複数持つ本願発明抽出棒でも効果は発揮される。
【００６０】
図９においては、球体６の上部にベロを持つ空間（イ）を備え、軸１の末端に抜け止め７
を嵌めこんで固定することにより、球体６が回転部品２となり軸１を中心に回転出来る機
能を備える。
【００６１】
前記回転部品２の側面と下面にフック状の取り付け部分３ａ、３a´、３ａ´´を備えて
いる。
【００６２】
この取り付け部分は単数でもよく、複数でもよく、側面、下面に限らずどの方向にあって
も構わない。００５８項、００５９項、００６０項における前記軸１を中心に回転出来るとは、前記軸１の底面を中心に回転出来るという事である。
【００６３】
図１０においては、回転部品２に縦穴（キ）をあけ、縦穴（キ）に貫通した、縦穴（キ）
の口径より細い直径を持つ軸１の末端付近に、前記回転部品２を一対の抜け止め７ａ、７
ｂで上下に抜け止め固定する。この回転部品２の側面に先端がフック状の取り付け部分３
ａ及び３ａ´を突出させて設ける。この場合の前記軸を中心に回転出来るとは、前記軸１の本体を中心に回転出来るという事である。
【００６４】
前記取り付け部分３は単数でも複数でもよい。又、側面と表記しているが左右対称でなく
て、上部側面、下部側面でも構わないが、左右対称(テンビン状)にした方がバランスを取りやすい。このバランスについては００６２項で述べた形態にも当てはまる。
【００６５】
尚、取り付け部分３は抽出対象物を取り付けることが出来るなら、どのような形態でも構
わない。又、取り付け部分３は回転部品２からの脱着を自在にして、用途によって取り外
し交換が出来るようにすることで、本願発明抽出棒の効果が高められる場合がある。
【００６６】
００６５項で述べたように回転部品２からの取り付け部分３の脱着を自在にすることで、
用途によって取り付け部品３とは別に回転部品２に錘や浮遊手段１０を脱着させる機能
を持たすことで、本願発明抽出棒の効果が高められる場合がある。
【符号の説明】
【００６７】
１    軸  
２    回転部品
３    取り付け部分
４    掻き混ぜ部分
５    ティーパック
６    球体
７    抜け止め
８    カートリッジ
９    芯
１０  浮遊手段
１１  容器(ペットボトル)
１２  容器蓋（ペットボトルキャップ）
Ａ    掻き混ぜる方向を示す矢印
Ｂ    掻き混ぜ作業による抽出対象物の回転の方向を示す矢印
Ｃ    回転水流の方向を示す矢印
Ｄ    自転回転を示す矢印
Ｅ    容器１１を振り回す方向を示す矢印
ア    こぶ状の突起物
イ    ベロを持つ空間
ウ    球体６が備える中空
エ    球体６の末端の穴
オ    ネジに適合する穴
カ    掻き混ぜ部分の下部末端の穴
キ    回転部品の縦穴